(57)【要約】【課題】屋根体の周囲を枠体と建物外壁で支持する壁付式屋外構造物を、段差を有する建物外壁に簡単に取付けできるようにする。【解決手段】建物外壁６の段差部壁６ｃを境とした左右の基部壁６ａと張出し部壁６ｂに左右の側桁５を連結し、この左右の側桁５間に連結した前桁４に屋根体３の前部３ａを支持し、この屋根体３の後部３ｂを基部壁６ａに取付けて支持し、一方の側桁５の内面５ａに設けた側部支持部１０と、段差部壁６ｃに設けた支持部材２０で屋根体３の一方の側部３ｃを支持し、他方の側部３ｃを他方の側桁５で支持するようにし、前記段差部壁６ｃに支持部材２０を取付けることによって、段差を有する建物の外壁に簡単に取付けできる。【選択図】図２
2006249681.tif 000002
【特許請求の範囲】
【請求項１】
柱と枠体と屋根体を備え、その屋根体の周囲を枠体と建物外壁で支持する壁付式屋外構造物であって、
前記枠体の１つの側桁の内側面に側部支持部を設け、建物外壁には支持部材を、前記側部支持部と連続して取付け、
前記屋根体の１つの側部の長手方向一部分を前記側部支持部の支持部分で支持し、その１つの側部の残りの部分を前記支持部材の支持部で支持するようにしたことを特徴とする壁付式屋外構造物。
【請求項２】
建物外壁における基部壁よりも段差部壁を経て張り出した張出し部壁に、枠体の１つの側桁を連結し、その基部壁に屋根体の後部を取付けて支持し、
前記１つの側桁に側部支持部を設け、その支持部分は前記段差部壁よりも突出していると共に、その突出方向の長さが調整可能で、
前記段差部壁に支持部材を取付けた請求項１記載の壁付式屋外構造物。
【請求項３】
柱と枠体と屋根体を備え、その屋根体の周囲を枠体と建物外壁で支持する壁付式屋外構造物であって、
前記枠体の１つの側桁における前桁と反対側に、後桁を、前桁と相対向して設け、
この後桁を、建物外壁の基部壁と連続した側部壁に連結し、この後桁と前記基部壁とに亘って屋根体の後部を取付けて支持したことを特徴とする壁付式屋外構造物。
【請求項４】
後桁の内側面にアタッチメントを取付け、このアタッチメントの取付面を基部壁と面一とし、そのアタッチメントの取付面と基部壁とに亘って屋根体の後部を取付けて支持した請求項３記載の壁付式屋外構造物。
【請求項５】
建物外壁の基部壁と後桁の内側面に亘って垂木掛けを取付け、この垂木掛けに垂木の後部と屋根板の後部を取付けて屋根体の後部を基部壁と後桁の内側面に亘って取付けて支持するようにした請求項３記載の壁付式屋外構造物。
【請求項６】
枠体は左右の側桁を有し、その一方の側桁に後桁を設け、他方の側桁を建物外壁の基部壁に連結し、
屋根体の左右の側部の全長を左右の側桁でそれぞれ支持した請求項３又は４又は５記載の壁付式屋外構造物。
【請求項７】
枠体の前桁は、建物外壁の基部壁と対向していると共に、その前桁は基部壁と連続した段差部壁に連結され、
前記段差部壁に支持部材を取付け、この支持部材で屋根体の側部を支持している請求項３又は４又は５記載の壁付式屋外構造物。
【発明の詳細な説明】
【技術分野】
【０００１】
本発明は、テラス、バルコニー、パーゴラ、カーポート等に用いる屋外構造物、詳しくは、建物外壁に取付ける壁付式屋外構造物に関する。
【背景技術】
【０００２】
特許文献１に、柱と枠体と屋根体を備えた屋外構造物が開示されている。
この屋外構造物の枠体、屋根体の前部が柱に連結され、後部が建物外壁に取付けられており、壁付式屋外構造物である。
【０００３】
【特許文献１】特開２００３−３４３００９号公報
【発明の開示】
【発明が解決しようとする課題】
【０００４】
前述した従来の壁付式屋外構造物は、屋根体の前部全長を枠体の前桁で支持し、その屋根体の後部全長を建物外壁に取付けて支持し、屋根体の左右の側部は何ら支持しないから、建物外壁の出隅部分、入隅部分や段差のある建物外壁でも簡単に取付けできる。
しかし、屋根体の前部、後部、左右の側部、つまり屋根体の周囲を枠体と建物躯体で支持する壁付式屋外構造物、例えば、屋根体の前部を前桁で支持し、後部を建物外壁に取付けて支持し、左右の側部を枠体の左右の側桁で支持する壁付式屋外構造物を、前述した建物外壁の出隅部分、入隅部分や段差のある建物外壁に取付ける場合には、その屋根体の側部を側桁と建物外壁で支持したり、屋根体の後部を建物外壁と枠体で支持することになるのでその取付けが面倒である。
【０００５】
本発明の目的は、屋根体の周囲を枠体と建物外壁で支持する壁付式屋外構造物、例えば屋根体の前部を前桁で支持し、後部を建物外壁に取付けて支持し、左右の側部を枠体の左右の側桁で支持する壁付式屋外構造物を建物外壁の出隅部分、入隅部分や段差のある建物外壁に簡単に取付けできるようにした壁付式屋外構造物を提供することである。
【課題を解決するための手段】
【０００６】
第１の発明は、柱と枠体と屋根体を備え、その屋根体の周囲を枠体と建物外壁で支持する壁付式屋外構造物であって、
前記枠体の１つの側桁の内側面に側部支持部を設け、建物外壁には支持部材を、前記側部支持部と連続して取付け、
前記屋根体の１つの側部の長手方向一部分を前記側部支持部の支持部分で支持し、その１つの側部の残りの部分を前記支持部材の支持部で支持するようにしたことを特徴とする壁付式屋外構造物である。
【０００７】
第１の発明においては、建物の外壁における基部壁よりも段差部壁を経て張り出した張出し部壁に、枠体の１つの側桁を連結し、その基部壁に屋根体の後部を取付けて支持し、
前記１つの側桁に側部支持部を設け、その支持部分は前記段差部壁よりも突出していると共に、その突出方向の長さが調整可能で、
前記段差部壁に支持部材を取付けることができる。
【０００８】
このようにすれば、側部支持部の支持部分の突出方向の長さを調整することで、段差部壁からの突出寸法を変更できるから、１つの側桁の連結位置が異なり、その側桁と段差部壁との間の間隔が変化した場合でも支持部分の段差部壁からの突出寸法を同一として支持部材の支持部に合せることができる。
したがって、屋根体の１つの側部を、側部支持部の支持部分と支持部材の支持部とで確実に支持することができる。
【０００９】
第２の発明は、柱と枠体と屋根体を備え、その屋根体の周囲を枠体と建物外壁で支持する壁付式屋外構造物であって、
前記枠体の１つの側桁における前桁と反対側に、後桁を、前桁と相対向して設け、
この後桁を、建物外壁の基部壁と連続した側部壁に連結し、この後桁と前記基部壁とに亘って屋根体の後部を取付けて支持したことを特徴とする壁付式屋外構造物である。
【００１０】
第２の発明においては、後桁の内側面にアタッチメントを取付け、このアタッチメントの取付面を基部壁と面一とし、そのアタッチメントの取付面と基部壁とに亘って屋根体の後部を取付けて支持することができる。
【００１１】
このようであれば、後桁の内側面と基部壁との間に段差がある場合に、屋根体の後部を基部壁とアタッチメントに強固に支持することができる。
【００１２】
第２の発明においては、建物外壁の基部壁と後桁の内側面に亘って垂木掛けを取付け、この垂木掛けに垂木の後部と屋根板の後部を取付けて屋根体の後部を基部壁と後桁の内側面に亘って取付けて支持することができる。
【００１３】
このようにすれば、１つの垂木掛けに垂木と屋根板を取付けて屋根体の後部を取付けるので、屋根板の後部を簡単に取付けできる。
【００１４】
第２の発明においては、枠体は左右の側桁を有し、その一方の側桁に後桁を設け、他方の側桁を建物外壁の基部壁に連結し、
屋根体の左右の側部の全長を左右の側桁でそれぞれ支持することができる。
【００１５】
このようにすれば、屋根体の左右の側部を簡単に支持できる。
また、建物外壁の出隅部に取付けできる。
【００１６】
第２の発明においては、枠体の前桁は、建物外壁の基部壁と対向していると共に、その前桁は基部壁と連結した段差部壁に連結され、
前記段差部壁に支持部材を取付け、この支持部材で屋根体の側部を支持することができる。
【００１７】
このようにすれば、建物外壁の張り出し入隅部に取付けできる。
【発明の効果】
【００１８】
請求項１に係る発明によれば、屋根体の周囲を枠体と建物外壁で支持する壁付式屋外構造物を、段差を有する建物外壁に取付け場合に、その建物外壁に支持部材を１つの側桁の内側面に設けた側部支持部と連結して取付けることで、その支持部材の支持部と側部都支持部の支持部分とで屋根の１つの側部を全長に亘って支持することができる。
したがって、段差のある建物外壁に簡単に取付けできる。
【００１９】
請求項３に係る発明によれば、屋根体の後部を建物外壁の基部壁と後桁とで支持できるから、その屋根体の左右一部分が建物外壁の側部壁よりも突出している場合でも、その屋根体の後部をしっかりと支持できる。
したがって、屋根体の周囲を枠体と建物外壁で支持する壁付式屋外構造物を、建物外壁の出隅部や入隅部などに簡単に取付けできる。
【発明を実施するための最良の形態】
【００２０】
図１に示すように、柱１とこの柱１に連結した枠体２と、この枠体２に取付けた屋根体３で屋外構造物としてある。
前記枠体２は、左右の柱１間に連結した前桁４と、各柱１に連結した左右の側桁５を備え、その左右の側桁５が建物外壁６に連結してある。
前記屋根体３は、図２に示すように、前部３ａ、側部３ｂ、左右の側部３ｃを有する矩形状で、その前部３ａが前桁４で支持され、左右の側部３ｃが側桁５で支持され、後部３ｂが建物外壁６に取付けて支持されている。
これによって、屋根体３の周囲（前部３ａ、後部３ｂ、左右の側部３ｃ）を枠体２と建物外壁６で支持するタイプの壁付式屋外構造物、詳しくは、屋根体３の前部３ａを前桁４で支持し、後部３ｂを建物外壁６に取付けて支持し、左右の側部３ｃを左右の側桁５で支持するタイプの壁付式屋外構造物としてある。
【００２１】
前述の実施の形態では、屋根体３は前部３ａが低く、後部３ｂが高くなるように水平に対して傾斜して取付けてある。つまり、屋根体３を勾配を有して取付けてある。
また、前記屋根体３は枠体２から上方及び下方に突出せずに枠体２内に収納した状態で取付けてあるので、外観の見栄えが良い。
なお、屋根体３は水平に取付けても良いし、枠体２から上方又は下方、あるいは上方及び下方に突出するように取付けても良い。
【００２２】
図１に示す建物外壁６は、基部壁６ａと張出し部壁６ｂが段差部壁６ｃを境として左右に有する段差のある建物外壁で、屋根体３の後部３ｂ全長が基部壁６ａに取付けてある。左右一方の側桁５が基部壁６ａに連結され、左右他方の側桁５が張出し部壁６ｂに連結されている。
このために、屋根体３の左右一方の側部３ｃの全長を左右一方の側桁５で支持できるが、左右他方の側部３０は左右他方の側桁５と段差部壁６ｃで支持することになる。
【００２３】
そこで、図２に示すように、左右他方の側桁５の内側面５ａに設けた側部支持部１０と連続して支持部材２０を段差部壁６ｃに取付ける。
そして、屋根体３の左右他方の側部３ｃを前述の側部支持部１０、支持部材２０で支持する。
このようであるから、段差のある建物外壁に簡単に取付けできる。
【００２４】
前記側桁５の側部支持部１０は図３に示すように側桁５と別部材とし、側桁５の内側面５ａに取付けるようにしてある。
このようにすることで、側部支持部１０を屋根体３の勾配に合わせて側桁５と平行に対して長手方向に斜めとすることができるし、側桁５を押出形材、例えばアルミ押出形材とすることができる。
つまり、側桁５と平行に対して長手方向に斜めの側部支持部１０が側桁５に一体的に設けてあると、側桁５を押出形材とすることができないし、屋根体３の勾配に応じて角度を調整できない。
【００２５】
前記側部支持部１０は図３に示すように取付部分１１と支持部分１２を有し、その取付部分１１をビス１３で側桁５の内側面５ａに固着して取付け、その支持部分１２が段差部壁６ｃから反対側の側桁５に向けて突出している。その支持部分１２の突出方向の長さは調整可能である。
例えば、図４に示すように、支持部分１２を板状とし、その長手方向全長に亘る切り離し用溝１４を突出方向に間隔を置いて複数形成し、その切り離し用溝１４から切り離して突出長さを変更できるようにしてある。
この切り離し用溝１４をＶ字溝とすれば、切り離しが容易にできる。
【００２６】
このようにすれば、支持部分１２の段差部壁６ｃからの突出長さを調整できるから、側桁５の取付け位置が異なって、その側桁５の内側面５ａと段差部壁６ｃとの間の間隔が異なる場合に、その支持部分１２の段差部壁６ｃからの突出長さをほぼ同一、好ましくは同一とすることができる。
【００２７】
前記支持部材２０は、図５に示すように取付部２１と支持部２２を有し、その取付部２１を段差部壁６ｃに固着具２３、例えばコーチねじで固着して取付けてある。
この支持部２２は前記側部支持部１０の支持部分１２と一直線状に連続している。
この支持部２２の段差部壁６ｃからの突出長さは、側部支持部１０の支持部分１２の段差部壁６ｃからの突出長さとほぼ同一、好ましくは同一である。
【００２８】
そして、屋根体３の他方の側部３ｃが側部支持部１０の支持部分１２と支持部材２０の支持部２２とに亘って支持される。
例えば、屋根体３を図６に示すように複数の垂木３０と複数の屋根板３１と押え材３２を有し、隣接した垂木３０間に跨って屋根板３１を載置し、その垂木３０に押え材３２をビス３３で固着して取付け、その押え材３２の幅方向の両側部を隣接した屋根板３１の上面にそれぞれ押しつけた構成とする。
そして、図５に示すように、支持部材２０に端部の垂木３０を接すると共に、図３に示すように、その垂木３０を側部支持部１０の支持部分１２の下面に接する。
前記垂木３０を取付けた押え材３２の一側部を屋根板３１の上面に押しつけ、他側部を支持部材２０の支持部２２と側部支持部１０の支持部分１２に押しつける。
なお、前述の各押しつける部分には水密材を設け、水密材を介して接するようにしてある。
【００２９】
次に、各部材の詳細を説明する。
前記前桁４は屋根体３の前部３ａを支持するので、図７に示すように前桁４の内側面４ａに前部支持材４０が取付けてある。
この実施の形態では、前部支持材４０はアタッチメント５０を介して取付けてある。
【００３０】
これは、前桁４の幅寸法（長手方向と直角方向の寸法）が柱１の前桁取付面１ａの幅寸法よりも小さく、前桁４の内側面４ａが柱１の側桁取付面１ｂと面一にならずに段差があり、前部支持材４０を前桁４の内側面４ａに直接取付けると、前部支持材４０を側桁５の内側面５ａまで連続できないので、前述のようにアタッチメント５０を前桁４の内側面４ａに取付け、そのアタッチメント５０に前部支持材４０を取付けて前部支持材４０を側桁５の内側面５ａまで連続している。
なお、前桁４の内側面４ａと柱１の側桁取付面１ｂが面一であれば、前部支持材４０を前桁４の内側面４ａに直接取付けても良い。
【００３１】
前記アタッチメント５０は図７に示すように、支持材取付面５１の上部寄りに水返し用のヒレ片５２が一体的に設けてあり、このヒレ片５２と支持材取付面５１とで下向き凹部５３を形成し、下部寄りに上向き受片５４を有している。
前記支持材取付面５１は前桁取付面５５と離隔し、その前桁取付面５５を前桁４の内側面４ａに接してビス５６で固着して取付けることで、前記支持材取付面５１が柱１の側桁取付面１ｂと面一となる。
前記前部支持材４０は、底壁部４１と、この底壁部４１の長手方向の直角方向（以下、幅方向という）一側に設けた一側立上り部４２と、底壁部４１の幅方向他側に設けた他側立上り部４３で断面ほぼ上向きコ字状の長尺材で、雨樋用凹部４４を有する。この雨樋用凹部４４の長手方向の端部は塞ぎ材４４ａで閉塞してある。
この一側立上り部４２の上部に折り曲片４５、下部寄りに下向き係止片４６が設けてある。
前記他側立上り部４３の上部には横向片４７が一側立上り部４２に向けて一体的に設けてある。
【００３２】
前記前部支持材４０は、水平姿勢に対して幅方向に斜めの姿勢とし、その折り曲片４５をアタッチメント５０の下向き凹部５３内に押し込み、その状態で水平姿勢として下向き係止片４６を支持材取付面５１に接し、下方に移動して下向き係止片４６と上向き受片５４を嵌合して仮取付けする。
この後に、一側立上り部４２の上部寄りをビス４８でアタッチメント５０の支持材取付面５１に固着する。
このようであるから、前部支持材４０を仮取付けしてからビス止めして連結するので、その取付け作業が簡単である。
また、ビス５６、ビス４８は上部寄りであるから下方から見上げた場合に目視されずに見栄えも良い。
【００３３】
図１に示すように、建物外壁６の基部壁６ａに連結した一方の側桁５は屋根体３の一方の側部３ｃの全長を支持するので、図６に示すように一方の側桁５の内側面５ａに側部支持材６０を取付けてある。
この側部支持材６０は、側桁取付面６１を側桁５の内側面５ａに接してビス６２で固着して取付けてある。
この側部支持材６０の支持面６３は柱１の前桁取付面１ａと面一に連続する。つまり、側桁５の内側面５ａと柱１の前桁取付面１ａは前述の前桁と同様に段差を有している。
前記側部支持材６０の支持面６３の上部寄りには支持片６４が長手方向に連続して設けてある。この支持片６４は上向き鉤形である。
前記側部支持材６０は、側桁５の内側面５ａに側桁５の長手方向に亘って水平に対して傾斜して取付けてあり、その支持片６４も水平に対して傾斜している。
【００３４】
前記屋根体３の垂木３０の前部は図７に示すように前部支持材４０に連結され、この垂木３０の後部は図８と図９に示すように垂木掛け７０に垂木ブラケット７１とビス７２で連結してある。
【００３５】
図６に示すように、側桁５と隣接した垂木３０は側部支持材６０の支持面６３に接し、この垂木３０に取付けた押え材３２の側桁５側部分は、前記側部支持材６０の支持片６４に水密材を介して押しつけてある。
これによって、屋根体３の側部が側桁５の内側面５ａに支持され、その支持部を雨仕舞して支持部から雨水等が落下しないようにする。
【００３６】
前記屋根板３１の前端部は図７に示すように屋根板支持材３４で支持されて浮き上がることがないようにしてある。
この屋根板支持材３４は前部支持材４０の他側立上り部４３に設けた横向き片４７に、ほぼ水平姿勢から前桁４側に向けて揺動可能で、かつ垂木掛け７０側に向けては揺動しないように係止し、ほぼ水平姿勢でビス止めしてある。
前記屋根板支持材３４は垂木掛け７０側に向けて開口した横向き凹部３５を有し、この横向き凹部３５内に屋根板３１の前端部を挿入して支持する。
【００３７】
前記垂木掛け７０は図８と図９に示すように、縦部７３と下横向部７４と上横向部７５で断面横向きコ字状の長尺材で、横向き凹部７６を有している。
前記垂木ブラケット７１の一端部は縦部７３にビス７２で固着され、この垂木ブラケット７１の他端部に垂木３０の長穴３０ｄからビス７２を螺合して固着される。
このようであるから、長穴３０ｄの長さ相当だけ垂木３０の取付け位置を長手方向に調整できる。
【００３８】
前記垂木掛け７０の横向き凹部７６における隣接した垂木３０間に垂木掛けカバー７７が図９に示すように取付けてある。例えば、垂木掛けカバー７７は中空矩形状の本体７７ａに上係止片７７ｂと下係止片７７ｃを一体的に設けたもので、その上下係止片７７ｂ，７７ｃが、前記垂木掛け７０の横向き凹部７６に形成した上係止受片７６ａと下係止受片７６ｂに係止して取付けてある。
前記屋根板３１の後端部は、前記垂木掛けカバー７７の上面（本体７７ａの上面）と垂木掛け７０の上横向部７５との間に挿入して支持されている。
【００３９】
次に、屋根体３の組立てについて説明する。
前部支持材４０と垂木掛け７０とに亘って垂木３０を取付ける。
この垂木３０は図６に示すように中空本体３０ａの上部横壁３０ｂに水密材装着部３０ｃを設けた形状で、その中空本体３０ａの長手方向前端部を、その上部横壁３０ｂを残して切断して除去し、その残存した上部横壁３０ｂを前部支持材４０の横向き片４７に接してビスで固着する。
この横向き片４７の上部横壁３０ｂが存在しない部分に屋根板支持材３４をそれぞれビス止めして取付ける。
屋根板３１を前桁４と垂木掛け７０との方向に湾曲して前端部を屋根板支持材３４の横向き凹部３５に挿入して支持し、かつ後端部を垂木掛け７０の上横向部７５の下面に水密材を介して接する。
この状態で垂木掛けカバー７７を取付けて屋根板３１の後端部を支持する。
最後に、押え材３２を垂木３０にビス３３で取付けて屋根板３１の左右端部を支持する。
【００４０】
次に、本発明の第２の実施の形態を説明する。
この実施の形態は、図１０に示すように建物外壁６の出隅部、つまり、基部壁６ａと側部壁６ｄで鉤形状となった部分に取付ける壁付式屋外構造物で、屋根体３の左右一側部が側部壁６ｄよりも側方に張り出している。
つまり、前述の第１の実施の形態と同様のタイプの壁付式屋外構造物である。
このために、左右一方の側桁５を建物外壁６に連結できないので、左右一方の柱１の後方に柱１を設置し、この柱１と左右一方の柱１間に左右一方の側桁５を連結する。
左右他方の側桁５は左右他方の柱１と建物外壁６の基部壁６ａに連結される。
【００４１】
屋根体３の前部３ａは、全長が前桁４に支持され、左右の側部３ｃは、全長が左右の側桁５でそれぞれ支持される。
屋根体３の後部３ｂは、その左右他方部分を建物外壁６の基部壁６ａに取付けて支持できるが、その屋根体３の後部３ｂの左右一方部分は建物外壁６の側部壁６ｄから側方に張り出しているので、前述のように基部壁６ａに取付けて支持できない。
そこで、図１１に示すように建物外壁６の側部壁６ｄと柱１とに亘って後桁７を連結し、この後桁７に前述の屋根体３の後部３ｂの左右一方部分を支持する。
例えば、前述の第１の実施の形態で説明した垂木掛け７０を建物外壁６の基部壁６ａと後桁７の内側面７ａとに亘って連続して取付ける。
そして、図１２に示すように垂木掛け７０に垂木３０、屋根板３１の後部を前述の第１の実施の形態と同様に取付ける。
【００４２】
この場合、後桁７の内側面７ａが図１２に示すように、建物外壁６の基部壁６ａと面一であれば、その後桁７の内側面７ａに垂木掛け７０を直接取付けできる。
しかし、図１３に示すように後桁７の内側面７ａが建物外壁６の基部壁６ａよりもずれている場合には、後桁７の内側面７ａにアタッチメント８０をビス８１で固着して取付け、そのアタッチメント８０の取付面８２を建物外壁６の基部壁６ａと面一とする。
そして、アタッチメント８０の取付面８２に垂木掛け７０を取付ける。
【００４３】
この場合には、左右他方の側桁５の内面に前述の側部支持材６０を取付け、屋根体３の左右他方の側部３ｃを、その全長に亘って支持する。
この実施の形態においても、屋根体３は前部３ａが低く、後部３ｂが高くなるように水平に対して傾斜している。
また、屋根体３は枠体２の上方及び下方に突出しないように取付けてある。
【００４４】
次に、本発明の第３の実施の形態を説明する。
この実施の形態は、図１４に示すように建物外壁６の張り出し入隅部、つまり基部壁６ａの左右一端と連続して側部壁６ｄを有し、この基部壁６ａの左右一端と連続して段差部壁６ｃを介して張出し部壁６ｂを有し、入隅部と出隅部が連続したクランク形状の外壁部分に取付ける壁付式屋外構造物で、屋根体３の左右他方の側部３ｃの全長が段差部壁６ｃ（建物外壁６）で支持され、屋根体３の左右一方部分が側部壁６ｄよりも張り出している。
つまり、屋根体３の前部３ａを前桁４で支持し、後部３ｂを建物外壁６に取付けて支持し、左右一方の側部３ｃを側桁５で支持し、左右他方の側部３ｃを建物外壁６で支持するタイプの壁付式屋外構造物である。
【００４５】
この場合には、図１５に示すように柱１、後桁７を追加し、その後桁７の内側面７ａと建物外壁６の基部壁６ａとに亘って垂木掛け７０を前述の第２の実施の形態と同様に取付ける。
前桁４は柱１と段差部壁６ｃに連結する。
前記段差部壁６ｃには、前述の第１の実施の形態における支持部材２０を取付ける。
この実施の形態においても、屋根体３は前部３ａが低く、後部３ｂが高くなるように水平に対して傾斜している。また、屋根体３は枠体２の上方及び下方に突出しないように取付けてある。
【図面の簡単な説明】
【００４６】
【図１】本発明の第１の実施の形態を示す全体斜視図である。
【図２】本発明の第１の実施の形態を示す屋根体を外した斜視図である。
【図３】図１のＡ−Ａ拡大断面図である。
【図４】側部支持部の拡大図である。
【図５】図１のＢ−Ｂ拡大断面図である。
【図６】図１のＣ−Ｃ拡大断面図である。
【図７】図１のＤ−Ｄ拡大断面図である。
【図８】垂木掛けと垂木の分解斜視図である。
【図９】図１のＥ−Ｅ拡大断面図である。
【図１０】本発明の第２の実施の形態を示す全体斜視図である。
【図１１】本発明の第２の実施の形態を示す屋根体を外した斜視図である。
【図１２】垂木掛けの取付け部分を示す断面図である。
【図１３】垂木掛けの取付け部分を示す断面図である。
【図１４】本発明の第３の実施の形態を示す全体斜視図である。
【図１５】本発明の第３の実施の形態を示す屋根体を外した斜視図である。
【符号の説明】
【００４７】
１…柱、２…枠体、３…屋根体、３ａ…前部、３ｂ…後部、３ｃ…側部、４…前桁、５…側桁、５ａ…内側面、６…建物外壁、６ａ…基部壁、６ｂ…張出し部壁、６ｃ…段差部壁、６ｄ…側部壁、７…後桁、７ａ…内側面、１０…側部支持部、１２…支持部分、２０…支持部材、２２…支持部。
【図１】
2006249681.tif 000003
【図２】
2006249681.tif 000004
【図３】
2006249681.tif 000005
【図４】
2006249681.tif 000006
【図５】
2006249681.tif 000007
【図６】
2006249681.tif 000008
【図７】
2006249681.tif 000009
【図８】
2006249681.tif 000010
【図９】
2006249681.tif 000011
【図１０】
2006249681.tif 000012
【図１１】
2006249681.tif 000013
【図１２】
2006249681.tif 000014
【図１３】
2006249681.tif 000015
【図１４】
2006249681.tif 000016
【図１５】
2006249681.tif 000017